(57)【要約】【課題】既にデザインされた前立てが取り付けられた既製品の兜飾りではなく、好みのデザインが施された前立てが取り付けられた兜飾り、兜飾りの製造方法及び兜飾りの受注製造システムを提供する。【解決手段】兜飾り１０は、従来のような兜飾りの製造業者によって全てデザインされ製造されたものではなく、購入者の注文に応じてデザインされた前立１３が作成され、オリジナルの前立１３が兜本体１１に取り付けられて製造されているため、前立１３のデザインに購入者の注文を反映させた兜飾り１０を提供することができる。【選択図】  図２
2016067845.tif 000002
【特許請求の範囲】
【請求項１】
注文に応じて任意の形状に加工された前立と、
前記前立が取り付けられた兜本体と、
からなることを特徴とする兜飾り。
【請求項２】
前記前立と前記兜本体との取り付けは、前記前立に設けられた取付片と前記兜本体に設けられた取付部とのネジ止めであることを特徴とする請求項１に記載の兜飾り。
【請求項３】
注文に応じて任意の形状に加工された前立と、
前記前立が取り付けられた兜本体と、からなる兜飾りの製造方法であって、
注文された形状の前記前立を作成する前立作成工程と、
前記前立作成工程により作成された前立と前記兜本体とを取り付ける前立取付工程と、
を含むことを特徴とする兜飾りの製造方法。
【請求項４】
前記前立作成工程は、レーザ加工による金属板の切断であることを特徴とする請求項３に記載の兜飾りの製造方法。
【請求項５】
前記前立取付工程は、前記前立に設けられた取付片と前記兜本体に設けられた取付部とのネジ止めであること特徴とする請求項３に記載の兜飾りの製造方法。
【請求項６】
注文に応じて任意の形状に加工された前立と、
前記前立が取り付けられた兜本体と、からなる兜飾りの受注製造システムであって、
インターネットを介して購入者から注文された前記前立のデザイン情報を含む受注情報を受注サーバが記憶する工程と、
前記受注情報を記憶すると、前記受注サーバが、
登録された前立製造業者へ前記デザイン情報ととともに前記前立を発注する工程と、
登録された兜本体製造業者に対して前記兜本体を発注する工程と、
を含んで前記兜飾りが製造されることを特徴とする兜飾りの受注製造システム。
【請求項７】
前記前立の発注が行われると、前記前立の送付予定日情報が前記受注サーバへ記憶される工程と、
前記兜本体の発注が行われると、前記兜本体の送付予定日情報が前記受注サーバへ記憶される工程と、
を含むことを特徴とする請求項６に記載の兜飾りの受注製造システム。
【請求項８】
前記受注サーバが、前記前立の送付予定日情報と前記兜本体の送付予定日情報とに基づき、前記兜飾りの発送予定日情報を前記購入者へ通知する工程を含むことを特徴とする請求項７に記載の兜飾りの受注製造システム。
【発明の詳細な説明】
【技術分野】
【０００１】
本発明は、５月の節句等で飾られる兜飾り、兜飾りの製造方法及び兜飾りの受注製造システムに関し、特に、個人の好みに応じた前立てを備える兜飾り、兜飾りの製造方法及び兜飾りの受注製造システムに関する。
【背景技術】
【０００２】
日本では五月人形の一種として、特許文献１に記載されている兜飾りが知られている。この兜飾りは、戦国時代の武将等が頭部を守るために身に着けていた兜を模した飾りものである。そして、兜飾りは、五月の節句を祝う雰囲気を豪華に演出する目的のため、非常に華美なものである。特に、兜飾りを構成する前立てと呼ばれる飾りは、非常に目立つ部分であるため、特許文献１のような麒麟の形状とする等、非常に豪華なデザインの飾りとなっている。
【０００３】
このような豪華な前立ての兜飾りは、既にデザインされた前立てが兜本体に取り付けられて販売されている。したがって、購入を検討している者は、店頭での購入であろうとネット注文による購入であろうと、既に決まったデザインの兜飾りの中から好みの兜飾りを選んで購入するだけであった。
【先行技術文献】
【特許文献】
【０００４】
【特許文献１】登録実用新案３０３４２４９号公報
【発明の概要】
【発明が解決しようとする課題】
【０００５】
従来の兜飾りは、既製品の中から選んで購入するしかなかった。したがって、親や祖父母にとっては、単に豪華な装飾の兜飾りというだけでなく、その子や孫だけの兜飾りを購入したいという思いがあったとしても、その要望に応えることはできなかった。そして、今後少子化が進む中、既製品ではなく、一品物の兜飾りを購入したいという要望がますます増えてくるものと思われる。
【０００６】
本発明は、既にデザインされた前立てが取り付けられた既製品の兜飾りではなく、好みのデザインが施された前立てが取り付けられた兜飾り、兜飾りの製造方法及び兜飾りの受注製造システムを提供することを目的とする。
【課題を解決するための手段】
【０００７】
上記課題を解決するために、本発明の兜飾りは、注文に応じて任意の形状に加工された前立と、前記前立が取り付けられた兜本体と、からなることを特徴とする。
【０００８】
このような兜飾りによれば、購入者の要望を満足する前立を取り付けることができるため、例えば、親や祖父母にとって、その子や孫に対する思いのこもった一品物の兜飾りを購入することができる。
【０００９】
また、本発明の兜飾りは、前記前立と前記兜本体との取り付けが、前記前立に設けられた取付片と前記兜本体に設けられた取付部とのネジ止めであることを特徴とする。
【００１０】
このような兜飾りによれば、新たなデザインの前立へと容易に変更することができる。したがって、例えば、前立のデザインだけを変えながら、親子何代にもわたって兜飾りを使用することができる。
【００１１】
また、本発明の兜飾りの製造方法は、注文に応じて任意の形状に加工された前立と、前記前立が取り付けられた兜本体と、からなる兜飾りの製造方法であって、注文された形状の前記前立を作成する前立作成工程と、前記前立作成工程により作成された前立と前記兜本体とを取り付ける前立取付工程と、を含むことを特徴とする。
【００１２】
このような兜飾りの製造方法によれば、購入者の要望を満足する前立を取り付けた一品物の兜飾りを製造することができる。
【００１３】
また、本発明の兜飾りの製造方法は、前記前立作成工程が、レーザ加工による金属板の切断であることを特徴とする。また、前記前立取付工程は、前記前立に設けられた取付片と前記兜本体に設けられた取付部とのネジ止めであること特徴とする。
【００１４】
また、本発明の兜飾りの受注製造システムは、注文に応じて任意の形状に加工された前立と、前記前立が取り付けられた兜本体と、からなる兜飾りの受注製造システムであって、インターネットを介して購入者から注文された前記前立のデザイン情報を含む受注情報を受注サーバが記憶する工程と、前記受注情報を記憶すると、前記受注サーバが、登録された前立製造業者へ前記デザイン情報ととともに前記前立を発注する工程と、登録された兜本体製造業者に対して前記兜本体を発注する工程と、を含んで前記兜飾りが製造されることを特徴とする。
【００１５】
このような兜飾りの受注製造システムによれば、既製品の兜飾りではなく、一品物の兜飾りを購入したいと希望する購入者にとって、容易に一品物の兜飾りを手に入れることができる。また、一品物の兜飾りを単独の業者で製造するのではなく、前立製造業者と、兜本体製造業者とに分けて製造するため、前立製造業者や兜本体製造業者にとっても、注文に応じて既存の装置を使い得意とする製品を作成するだけですみ、一品物の兜飾りを実現するための初期投資を抑えることができる。
【００１６】
また、本発明の兜飾りの受注製造システムは、前記前立の発注が行われると、前記前立の送付予定日情報が前記受注サーバへ記憶される工程と、前記兜本体の発注が行われると、前記兜本体の送付予定日情報が前記受注サーバへ記憶される工程と、を含むことを特徴とする。
【００１７】
このような兜飾りの受注製造システムによれば、受注サーバを介して兜飾りの完成予定日を知ることができる。
【００１８】
また、本発明の兜飾りの受注製造システムは、前記受注サーバが、前記前立の送付予定日情報と前記兜本体の送付予定日情報とに基づき、前記兜飾りの発送予定日情報を前記購入者へ通知する工程を含むことを特徴とする。
【００１９】
このような兜飾りの受注製造システムによれば、購入者は兜飾りの発送予定日を知ることができる。
【図面の簡単な説明】
【００２０】
【図１】本発明の実施形態に係る兜飾りの平面図である。
【図２】本発明の実施形態に係る兜飾りの分解図である。
【図３】本発明の実施形態に係る兜飾りの全体構成の概略図である。
【図４】本発明の実施形態に係る兜飾りの前立の変形例である。
【発明を実施するための形態】
【００２１】
以下、図面を参照して、本発明を実施するための形態を説明する。但し、以下に示す実施形態は、本発明の技術的思想を具体化するためのものを例示するだけであって、本発明をこれらに特定することを意図するものではなく、特許請求の範囲に含まれるその他の実施形態のものにも均しく適応し得るものである。
【００２２】
図１は本実施形態に係る兜飾り１０の平明図であり、図２は兜飾り１０の分解図である。兜飾り１０は、鉢と呼ばれる兜本体１１と、兜本体１１の下部に取り付けられた吹返し１２と、兜本体１１の前面に取り付けられた立物である前立１３と、を備えている。
【００２３】
前立１３は、文字や図形からなる任意の形状をしているものである。任意の形状をしているこの前立１３は、レーザ光を用いたレーザ加工によりステンレス板を切断して形成されている。前立１３の形状として、図１、図２では大きな菱形の中に、小さな菱形を４つ切り抜いた形状の図形を示している。
【００２４】
このような図形からなる前立１３の他の例として文字からなる前立１３Ａを示す。図４は、前立１３の変形例である前立１３Ａの平面図である。前立１３Ａは、一郎という文字の前立１３Ａであり、連続した図形のように繋がった形状にステンレス板を切断して形成している。なお、前立１３や前立１３Ａは、鉄やチタンなど他の金属板をレーザ加工により切断して形成されたものでも構わない。また、前立１３や前立１３Ａは、木板を切断して形成した木製のものでも構わない。
【００２５】
また、前立１３、前立１３Ａは兜本体１１の取付部１４に取り付けられている。前立１３、前立１３Ａを取付部１４に取付けるため、前立１３、前立１３Ａの下部に取付片１５が設けられており、この取付片１５にはネジ孔１６が形成されている。なお、兜本体１１と前立１３、前立１３Ａとの取り付けは、兜本体１１の取付部１４と、前立１３、前立１３Ａの取付片１５のネジ孔１６とをネジ止めにより固定しているが、接着剤などによる取り付けでも構わない。また、実施形態のネジ止めによる固定を採用することにより、兜飾り１０は、前立１３を他の別のデザインの前立、例えば前立１３Ａに簡単に交換することができる。
【００２６】
そして、兜飾り１０は、図示しない台座に置かれ、図示しない収納ケースの中に収められ床や棚の上などに飾られる。なお、収納ケース内には、兜飾り１０以外にも、太刀や弓などの他の飾りが収納されたりもする。
【００２７】
以上のような、兜飾り１０は従来であれば既にデザインされた前立１３が取付けられていたため、購入者は決まったデザインの前立１３が取り付けられた兜飾り１０の中から好みのものを選択するしかなかった。しかしながら、本実施形態の兜飾り１０は、詳細は後述するが、購入者の注文に応じて加工された前立１３が取り付けられている。
【００２８】
したがって、兜飾り１０には購入者の要望を満足する前立１３を取り付けることができるため、例えば、親や祖父母にとって、その子や孫に対する思いのこもった一品物の兜飾り１０を購入することができる。
【００２９】
次に、購入者の注文に応じて加工された前立１３が取り付けられた兜飾り１０の製造方法について説明する。任意の形状に加工された前立１３と、前立１３が取り付けられた兜本体１１と、からなる兜飾り１０は、注文された形状の前立１３を、ステンレス板をレーザ加工することにより切断し作成する前立作成工程と、前立作成工程により作成された前立１３と兜本体１１とを、前立１３に設けられた取付片１５と兜本体１１に設けられた取付部１４とのネジ止めにより取り付ける前立取付工程により製造されている。
【００３０】
このように兜飾り１０は、従来のような兜飾りの製造業者によって全てデザインされ製造されたものではなく、購入者の注文に応じてデザインされた前立１３が作成され、オリジナルの前立１３が兜本体１１に取り付けられて製造されたものである。したがって、兜飾り１０の製造には、前立１３に購入者の注文を反映させる必要がある等、従来の製造とは異なる工程が要求される。また、購入者の注文に応じた前立１３を作成する場合には、前立１３を作成するための装置等が必要になり、従来の兜飾りの製造業者単独で一品物の兜飾り１０を実現するには投資が必要なってくる。特に前立１３をレーザ加工により作成する場合には、投資や技術の習得等、兜飾りの製造業者単独で実現することは非常に難しい。
【００３１】
そこで、注文に応じて任意の形状に加工された前立１３と、前立１３が取り付けられた兜本体１１と、からなる兜飾り１０を製造するにあたって、兜飾り１０のための専用の受注製造システムを構築した。
【００３２】
次に、この兜飾り受注製造システム２０について説明する。図３は兜飾り受注製造システム２０の全体構成の概略図である。兜飾り受注製造システム２０は、インターネット２１と、購入者が用いる購入者端末２２と、兜飾り１０の販売を行う業者が用いる販売業者端末２３と、前立１３を製造する業者が用いる前立製造業者端末２４と、兜本体１１を製造する業者が用いる兜本体製造業者端末２５と、兜飾り１０を収納する収納ケースを製造する業者が用いる収納ケース製造業者端末２６と、を備えている。
【００３３】
購入者端末２２は、インターネット２１を介して他の端末と通信を行うための通信手段と、購入者が好みの前立１３を注文することができるよう入力手段と表示手段とを備えている。この購入者端末２２は、具体手的にはインターネット２１に接続されているパソコンや携帯情報端末等からなる。
【００３４】
受注サーバを構成する販売業者端末２３は、インターネット２１を介して他の端末と通信を行うための通信手段を備えるとともに、販売する兜飾り１０を紹介するホームページを提供し、このホームページを介して購入者から前立１３のデザイン情報とともに兜飾り１０の注文を受け付ける。そして、兜飾り１０の注文を受け付けた販売業者端末２３は、前立１３のデザイン情報を含む受注情報を記憶部に記憶する。また、販売業者端末２３の記憶部には、前立製造業者と前立製造業者端末２４に関する情報、兜本体製造業者と兜本体製造業者端末２５に関する情報、収納ケース製造業者と収納ケース製造業者端末２６に関する情報が、記憶されている。
【００３５】
なお、前立製造業者としては、例えば、レーザ加工機を有しレーザ加工により金属板を用いて看板等を作成する業者が適している。このような業者であれば、レーザ加工によりステンレス板を切断して形成される前立１３を容易に作成することができる。また、兜本体製造業者としては、例えば、従来から既製品の兜飾りを製造している業者が適している。このような業者であれば、兜本体１１を容易に作成することができる。また、収納ケース製造業者としては、従来から既製品の兜飾りの収納ケースを製造している業者が適している。このような業者であれば、収納ケースを容易に作成することができる。
【００３６】
また、販売業者端末２３の記憶部に記憶される受注情報には、前立１３のデザイン情報の他に、兜本体１１に関する情報（例えば、後述する兜本体１１の型番）や、収納ケースに関する情報、購入者に関する情報（例えば、名前や購入目的）、兜飾り１０の送付先に関する情報（例えば、送り先である孫の住所）等が含まれている。
【００３７】
前立製造業者端末２４は、インターネット２１を介して他の端末と通信を行うための通信手段と、販売業者端末２３から送付された前立１３のデザイン情報を表示するための表示手段と、完成した前立１３を販売業者の元へ送付できる予定日を入力する入力手段を備えている。なお、前立製造業者端末２４は、前立１３を製造するレーザ加工機と直接接続されていても構わない。前立製造業者端末２３とレーザ加工機とを接続しておくことにより、前立１３のデザイン情報をわざわざレーザ加工機へ別手段によって入力することなく、レーザ加工機を制御することができる。
【００３８】
兜本体製造業者端末２５は、インターネット２１を介して他の端末と通信を行うための通信手段と、販売業者端末２３から送付された兜飾り１０の受注情報を表示するための表示手段と、兜本体１１を販売業者の元へ送付できる予定日を入力する入力手段を備えている。
【００３９】
収納ケース製造業者端末２６は、インターネット２１を介して他の端末と通信を行うための通信手段と、販売業者端末２３から送付された兜飾り１０の受注情報を表示するための表示手段と、収納ケースを販売業者の元へ送付できる予定日を入力する入力手段を備えている。なお、兜本体製造業者が収納ケースの製造も行う業者であれば、兜本体製造業者端末２５が、収納ケース製造業者端末２６を兼ねる構成であっても構わない。
【００４０】
次に、この兜飾り受注製造システム２０の具体的な流れについて説明する。まず、販売業者は、販売業者端末２３を用いて、注文に応じて任意の形状に加工する前立１３と、この前立１３が取り付けられる兜本体１１と、からなる兜飾り１０を紹介するホームページを提供する。
【００４１】
購入者端末２２を介して販売業者のホームページを見た兜飾り１０の購入希望者は、購入者端末２２を介して所定の様式に沿って希望する前立１３のデザインを注文するとともに、その他前立１３を取り付けたい兜本体１１などについて注文する。
【００４２】
なお、前立１３の注文は、購入者の希望する前立のデザインが例えば子供の名前のように文字の場合、書体を変えたサンプルの文字を複数表示し、その中から好みの書体の文字を選んで注文する構成でも構わない。兜飾り受注製造システム２０を用いることで、例えば、単に電話で前立１３のデザインを注文する場合などに比べ、購入者の希望をより反映させたデザインを注文することができる。
【００４３】
また、兜本体１１については既成品を用いる方がコストや製造時間を短縮することができるため、兜飾り受注製造システム２０は数種類の兜本体１１の中から好みのものを選択する構成となっている。そして、兜飾り受注製造システム２０は収納ケースについても同様の構成となっている。
【００４４】
購入者からの注文を受け付けると、販売業者端末２３は、前立１３のデザイン情報を含む受注情報を記憶部に記憶する。次に、販売業者端末２３は、受注情報に基づき記憶部に登録されている、前立製造業者、兜本体製造業者、収納ケース製造業者、をそれぞれ特定する。なお、前立製造者、兜本体製造業者、収納ケース製造業者は、それぞれ複数の業者が登録されている構成でも構わない。
【００４５】
次に、販売業者端末２３は、特定された前立製造業者の前立製造業者端末２４に対して、前立１３のデザイン情報とともに前立１３の製造について発注指示を送信する。同時に、販売業者端末２３は、特定された兜本体製造業者の兜本体製造業者端末２５に対して、兜本体１１の発注指示を送信する。また同時に、販売業者端末２３は、特定された収納ケース製造業者の収納ケース製造業者端末２６に対して、収納ケースの発注指示を送信する。
【００４６】
なお、兜飾り受注製造システム２０は、兜本体１１や収納ケースについては、既製品の中から好みのものを選択する構成となっているため、前立１３の発注指示のようにインターネット２１を介して行う必要はなく、例えばＦＡＸ通信により選択された型番を発注する構成でも構わない。
【００４７】
前立製造業者端末２４は、販売業者端末２３から前立１３の発注指示を受信すると、前立１３のデザイン情報等を表示部へ表示する。この表示をみた前立製造業者は、注文内容を確認し、前立１３を作成する。また、前立製造業者は、前立１３を販売業者のもとへ送付できる予定日の情報を、前立製造業者端末２４を介して販売業者端末２３へ送信する。そして、販売業者端末２３は、前立製造業者端末２４から前立１３の送付予定日情報を受信すると、送付予定日情報を記憶部に記憶する。
【００４８】
同様に、兜本体製造業者端末２５は、兜本体１１の発注指示を受信すると表示部へ表示する。そして、表示をみた兜本体製造業者は、兜本体１１を販売業者のもとへ送付できる予定日の情報を、兜本体製造業者端末２５を介して販売業者端末２３へ送信する。同様に、収納ケース製造業者端末２６は、収納ケースの発注指示を受信すると表示部へ表示する。そして、表示をみた収納ケース製造業者は、収納ケースを販売業者のもとへ送付できる予定日の情報を、収納ケース製造業者端末２６を介して販売業者端末２３へ送信する。そして、販売業者端末２３は兜本体１１と収納ケースの送付予定日情報を記憶部に記憶する。
【００４９】
次に、販売業者端末２３は、記憶部に記憶された前立１３の送付予定日情報と、兜本体１１の送付予定日情報と、収納ケースの送付予定日情報とに基づいて、兜飾り１０の発送予定日の情報を購入者端末２２へと通知する。したがって、購入者は、購入者端末２２を介して兜飾り１０が発送される予定日を知ることができる。なお、例えば、この発送予定日は、前立１３の送付予定日と兜本体１１の送付予定日と収納ケースの送付予定日から、販売業者のもとへ部品が全て揃う予定日がわかるので、その日から組み立てに要する日数を加算した日となる。
【００５０】
そして、前立１３と兜本体１１と収納ケースとが各々の製造業者から送付され、販売業者のもとへと届けられる。そして、販売業者は、前立１３を兜本体１１へ取り付けることにより兜飾り１０を製造し、この兜飾り１０を収納ケースに収納し、送付先へと送付する。
【００５１】
このように、兜飾り受注製造システム２０は、受注サーバを構成する販売業者端末２３で、購入者からの注文を一括して受け付け、注文した情報を基に前立製造業者、兜本体製造業者、収納ケース製造業者へそれぞれ発注する構成となっている。したがって、既製品の兜飾りではなく、一品物の兜飾り１０を購入したいと希望する購入者にとって、容易に一品物の兜飾り１０を手に入れることができる。また、前立製造業者や兜本体製造業者にとっても、注文に応じて既存の装置を使い得意とする製品を作成するだけなので、一品物の兜飾り１０を実現するための初期投資を抑えることができる。
【符号の説明】
【００５２】
１０    兜飾り
１１    兜本体
１２    吹返し
１３、１３Ａ    前立
１４    取付部
１５    取付片
１６    ネジ孔
２０    兜飾り受注製造システム
２１    インターネット
２２    購入者端末
２２    販売業者端末
２３    前立製造業者端末
２４    兜本体製造業者端末
２５    収納ケース製造業者端末
【図１】
2016067845.tif 000003
【図２】
2016067845.tif 000004
【図３】
2016067845.tif 000005
【図４】
2016067845.tif 000006